(57)【要約】  【課題】紙葉類を綴じ易い開放状態をなす綴じ具及びファイルを提供する。  【解決手段】第一支持板２をベース１に対して回動させる回動支持部Ａと、第二支持板３をベース１に対してスライド移動させるスライド部Ｂと、第一支持板２と第二支持板３とを相対的に回動させる回動連結部Ｃとを形成して、第二支持板３がスライド終端Ｂ２にあるときに、綴じ部材４３が開放状態Ｙとなるよう構成している。  【選択図】図７
2005280023.tif 000002
【特許請求の範囲】
【請求項１】
表紙体に取り付けられるベースと、紙葉類を表裏から綴じ込む一対の綴じ杆と、これら一対の綴じ杆をそれぞれ支持する第一支持板及び第二支持板とを具備してなり、これら第一支持板及び第二支持板の内側端部同士を対向させて配置してなる綴じ具において、
前記ベースの一側端部において、前記第一支持板の外側端部側との間に関連づけて該第一支持板をベースに対して回動させる回動支持部と、
前記ベースと前記第二支持板とを関連づけて、該第二支持板をベースに対してスライド移動させるスライド部と、
前記第一支持板と前記第二支持板との内側端部同士において、これら第一支持板と第二支持板とを相対的に回動させる回動連結部とを形成し、
前記スライド部において、前記第二支持板が、スライド始端にあるとき前記一対の綴じ杆が閉止状態となり、スライド終端にあるとき前記一対の綴じ杆が開放状態となり、前記開放状態と前記閉止状態との間で回動支持部において第一支持板がベースに対して回動動作するとともに前記回動連結部において第二支持板が第一支持板に対して回動動作するように構成していることを特徴とする綴じ具。
【請求項２】
前記閉止状態において、前記第一支持板及び前記第二支持板の裏面が、ベースの表紙体に対向しない側である表面に対して対面する倒伏姿勢となり、
前記開放状態において、第一支持板と第二支持板の裏面同士が対面する起立姿勢となるように、前記ベース、前記第一支持板及び前記第二支持板を配置している請求項１記載の綴じ具。
【請求項３】
前記スライド部が、前記第二支持板の外側端部に対応する前記ベースの側端部に、第二支持板の外側方及び上方への抜脱を防止しつつベースの表面に沿ったスライドを案内するスライドガイド部を具備している請求項１又は２記載の綴じ具。
【請求項４】
前記開放状態において、前記ベースの内方への前記第二支持板のスライド移動を規制するストッパ部を具備している請求項３記載の綴じ具。
【請求項５】
前記開放状態において、前記スライドガイド部及び前記ストッパ部に対して前記第二支持板を干渉させることによって、該第二支持板のベースからの脱落を防止している請求項４記載の綴じ具。
【請求項６】
前記ストッパ部が、前記ベースを前記表紙体に固定するための固定部材である請求項４又は５記載の綴じ具。
【請求項７】
前記ストッパ部を、前記第一支持板と前記第二支持板とを直接的又は間接的に干渉させることによって構成している請求項４記載の綴じ具。
【請求項８】
前記一対の綴じ杆を閉止状態から開放状態とする方向の力を第一支持板と第二支持板とに付与する開放付勢手段を具備している請求項１、２、３、４、５、６又は７記載の綴じ具。
【請求項９】
前記開放付勢手段を、第一支持板と第二支持板との間に介在させている請求項８記載の綴じ具。
【請求項１０】
前記開放付勢手段が、両端部を第一支持板及び第二支持板のうちいずれか一方の支持板に取り付け、中央部を他方の支持板に取り付けるとともに、両端部と中央部との間の中間部に弾性変形部を有するバネ部材である請求項９記載の綴じ具。
【請求項１１】
前記閉止状態において、前記一対の綴じ杆を係り合わせて該閉止状態を維持する係合部を具備している請求項１、２、３、４、５、６、７、８、９又は１０記載の綴じ具。
【請求項１２】
前記一対の綴じ杆の各先端部において、相互に向き合って鈎形をなす鈎状部を形成し、これら鈎状部によって前記係合部を構成している請求項１１記載の綴じ具。
【請求項１３】
前記第一支持板に、前記一対の綴じ杆のうち一方の綴じ杆である第一綴じ杆を他方の綴じ杆との開閉方向に対して直交する方向に所定距離を離間させて複数支持させるとともに、前記第二支持板に、複数の前記第一綴じ杆にそれぞれ対応づけて第二綴じ杆を複数支持させて、
並列配置された複数の前記第一綴じ杆のうちいずれか一対の綴じ杆の先端部にそれぞれ対向する内向きの前記鈎状部を設けるとともに、これらに対応する一対の第二綴じ杆の先端部に前記内向きの鈎状部と係り合う外向きの鈎状部を設け、前記各外向きの鈎状部と前記各内向きの鈎状部とによって構成される一対の係合部を互いに対向させている請求項１２記載の綴じ具。
【請求項１４】
前記第一支持板及び前記第二支持板に前記第一綴じ杆及び第二綴じ杆をそれぞれ３つ以上同数ずつ支持させて、前記鈎状部を形成していない各綴じ杆の先端部に前記当接部を形成し、開閉方向に対向する一対の綴じ杆の閉止状態において当接部同士を当接させるようにしている請求項１２又は１３記載の綴じ具。
【請求項１５】
前記当接部を前記対向する一対の綴じ杆の開閉方向に傾斜するテーパ形状としている請求項１４記載の綴じ具。
【請求項１６】
請求項１〜１５のいずれかに記載の綴じ具と、表紙体とを具備してなり、前記綴じ具におけるベースを前記表紙体の一部に取り付けていることを特徴とするファイル。
【発明の詳細な説明】
【技術分野】
【０００１】
本発明は、綴じ穴が設けられた紙葉類を綴じる綴じ具及びファイルに関するものである。
【背景技術】
【０００２】
従来、紙葉類を綴じて挟み込むためのファイルには、表紙体に取り付けたベースに、内側面同士を対向させた状態にある一対の支持板を回動可能に支持させるとともに、この一対の支持板にそれぞれ一対の綴じ杆を支持させて、当該綴じ杆同士の先端部を係脱可能に開閉させることにより、開放状態及び閉止状態を構成することで、紙葉類を表裏から綴じ込むための綴じ具が用いられている。
【０００３】
そのような綴じ具の中で、例えば特許文献１に記載のものは、ベースの両側端部にそれぞれ一対の支持板を回動可能に支持するとともに、一対の支持板の内側端部から、それぞれ向かい合う支持板に向けて連結部材を突出させ、該連結部材を、互いに係り合わせて、これら一対の支持板が常に対称となるように動作させることにより、開放状態と閉止状態とを相互に移行する動作において一対の綴じ杆の動作が同期するようにしている。また、前記連結部材が突出する長さを適宜設定することによって、開放状態における一対の支持板の内側端部間の距離、すなわち一対の支持板の回動範囲を設定することにより、開放状態における一対の綴じ杆の先端部間の距離、すなわち開口巾を決定している。
【特許文献１】特許第２８１４９５７号公報
【発明の開示】
【発明が解決しようとする課題】
【０００４】
特許文献１のような従来の綴じ具について、紙葉類をさらに綴じやすいものとするためには、開放状態における一対の支持板の内側端部間の距離をさらに長く設定して、前記開口巾をさらに大きく設定すればよいとも考えられる。しかしながら、この連結機構は閉止状態においては綴じている紙葉類に干渉させないよう支持板及びベース内に収納しなければならないため、連結機構が設定可能な、一対の支持板の内側端部間の距離は限られたものとなり、結果として綴じ具が開放状態においてとり得る開口巾もごく限られたものとなっている。
【０００５】
また、綴じ具における紙葉類の綴じ易さは、開放状態としたときの上述した開口巾によってのみ決定されるものではなく、一対の綴じ杆の先端部同士がベースの中央部との間になす相対的な角度（以下開成角度と記す）も重要な要因となる。この開成角度が小さいと、紙葉類に設けた綴じ穴をいずれか片方の綴じ杆の先端部に挿し通す際に、もう片方の綴じ杆の先端部が紙葉類に干渉してしまうか、あるいは使用者がもう片方の綴じ杆の先端に注意しながら片方の綴じ杆に綴じ穴を挿し通さなければならない。しかし上述した従来の綴じ具において前記開成角度の設定要因は開口巾と同じく一対の支持板の内側端部同士の最大距離に依存しているため、前記開口巾と同様にごく限られている。
【０００６】
本発明は、これらのような不具合に着目し、これを解決すべく、紙葉類を綴じ易い開放状態をなす綴じ具及びファイルを提供するものである。
【課題を解決するための手段】
【０００７】
本発明は、このような目的を達成するために、次のような手段を講じたものである。すなわち、本発明に係る綴じ具は、表紙体に取り付けられるベースと、紙葉類を表裏から綴じ込む一対の綴じ杆と、これら一対の綴じ杆をそれぞれ支持する第一支持板及び第二支持板とを具備してなり、これら第一支持板及び第二支持板の内側端部同士を対向させて配置してなる綴じ具において、前記ベースの一側端部において、前記第一支持板の外側端部側との間に関連づけて該第一支持板をベースに対して回動させる回動支持部と、前記ベースと前記第二支持板とを関連づけて、該第二支持板をベースに対してスライド移動させるスライド部と、前記第一支持板と前記第二支持板との内側端部同士において、これら第一支持板と第二支持板とを相対的に回動させる回動連結部とを形成し、前記スライド部において、前記第二支持板が、スライド始端にあるとき前記一対の綴じ杆が閉止状態となり、スライド終端にあるとき前記一対の綴じ杆が開放状態となり、前記開放状態と前記閉止状態との間で回動支持部において第一支持板がベースに対して回動動作するとともに前記回動連結部において第二支持板が第一支持板に対して回動動作するように構成していることを特徴とする。
【０００８】
このようなものであれば、スライド部によって第二支持板をスライド移動させるとともに第一支持板と第二支持板とを同時に回動させることにより、他の部材や格別な機構を用いずに一対の綴じ杆の動作を同期させる構成とすることが可能となる。また、一対の綴じ杆の先端部同士の相対距離、すなわち開口巾を大きくするためには、スライド始端からスライド終端までの距離を大きく設定して支持板の回動範囲を大きくする事で達成されるので、開口巾を大きく設定することが容易である。勿論、他の部材や格別な機構を用いていないので、開放状態において開口巾を大きくしても、閉止状態において綴じ具を構成するいずれかの部材が紙葉類に干渉してしまう不具合は生じにくい。そしてまた、第二支持板がスライドしながら回動することにより第二支持板は前記ベースの一側端に近接しながら回動する。そのため、第二支持板に支持されている綴じ杆は、第二支持板に支持される箇所が一方の綴じ杆に近づきながら、一対の綴じ杆の先端部同士が離反するよう回動して開放状態を形成するので、ベースの両側端付近を支点に綴じ杆が回動する従来の綴じ具に比して、開放状態における一対の綴じ杆の開口巾をしく設定した場合においても一対の綴じ杆の角度がより大きく変化することにより、開放状態において綴じ杆の先端同士がなす開成角度を大きくすることができる。結果として、紙葉類に設けた綴じ穴をいずれか片方の綴じ杆の先端に向けて挿し通す際に、もう片方の綴じ杆の先端に干渉されることを有効に回避することができる。
【０００９】
閉止状態において好適な環状構造を形成して、好適に紙葉類を綴じる綴じ具とするためには、閉止状態において、第一支持板及び第二支持板の裏面が、ベースの表紙体に対向しない側である表面に対して対面する倒伏姿勢となり、開放状態において、第一支持板と第二支持板の裏面同士が対面する起立姿勢となるように、ベース、第一支持板及び第二支持板を配置することが望ましい。
【００１０】
ここで、第一支持板及び第二支持板の裏面同士が対面するとは、裏面同士が略平行に向き合う状態のみならず、裏面同士が一平面状に並んでおらず僅かでも向き合った状態をも含むものである。
【００１１】
比較的簡易な構造により前記第二支持板の他端側の移動可能な範囲を設定するためには、前記スライド部を、第二支持板の外側端部に対応するベースの側端部に、第二支持板の外側端部方向及び上方への抜脱を防止しつつベースの表面に沿ったスライドを案内するスライドガイド部を設けたものとすることが望ましい。また、第二支持板のスライド移動を任意の箇所に設定することにより開放状態における一対の綴じ杆のなす形状を好適に設定するためには、本発明に係る綴じ具に、開放状態において、ベースの内方への第二支持板のスライド移動を規制するストッパ部を設けることが望ましい。そしてベースから脱落させることなく第二支持板の可動範囲を設定するためには、開放状態において、スライドガイド部及びストッパ部に対して第二支持板を干渉させることによって、該第二支持板のベースからの脱落を防止することが好ましい。掛かる作用を、詳細には、綴じ具の構成部品点数を削減しつつ実現するには、ストッパ部としてベースを表紙体に固定するための固定部材を利用するとよい。また、固定部材の位置や仕様にかかわらず開口巾の大きな開放状態を形成するためには、前記ストッパ部を、前記第一支持板と前記第二支持板とを直接的又は間接的に干渉させることによって構成しているものとすることが望ましい。ここでいう、「直接的又は間接的」とは、第一支持板と第二支持板とを直接干渉させる場合のみを示すのみならず、第一支持板及び第二支持板のどちらか一方或いは両方に別体の部材を設け、該別体の部材に干渉させる態様をも含むという意味である。
【００１２】
閉止状態にある一対の綴じ杆の係り合いを解除する操作のみで簡単に開放状態とするためには、本発明に係る綴じ具に、一対の綴じ杆を閉止状態から開放状態とする方向の力を第一支持板と第二支持板とに付与する開放付勢手段を設けることが望ましい。また、この開放付勢手段をコンパクトに取り付けて確実に機能させるためには、開放付勢手段を第一支持板と第二支持板との間に介在させていることが好ましい。具体的に好ましい開放付勢手段の態様としては、両端部を第一支持板及び第二支持板のうちいずれか一方の支持板に取り付け、中央部を他方の支持板に取り付けるとともに、両端部と中央部との間の中間部に弾性変形部を有するバネ部材を挙げることができる。
【００１３】
閉止状態において安定して紙葉類を綴じることができ、特に、上述した開放付勢手段を具備しているものに対して好適に閉止状態を保持させるためには、綴じ具に、閉止状態において、一対の綴じ杆を係り合わせて閉止状態を維持する係合部を設けることが望ましい。また、閉止状態を確実且つ容易に形成するためには、一対の綴じ杆の各先端部において、相互に向き合って鈎形をなす鈎状部を形成し、これら鈎状部によって係合部を構成していることが好ましい。さらに、綴じ杆を片手で摘むなどして簡単に鈎状部の係合を解除できるものとしては、前記第一支持板に、前記一対の綴じ杆のうち一方の綴じ杆である第一綴じ杆を他方の綴じ杆との開閉方向に対して直交する方向に所定距離を離間させて複数支持させるとともに、前記第二支持板に、複数の前記第一綴じ杆にそれぞれ対応づけて第二綴じ杆を複数支持させて、並列配置された複数の前記第一綴じ杆のうちいずれか一対の綴じ杆の先端部のうち、一方の綴じ杆にそれぞれ対向する内向きの鈎状部を設けるとともに、これらに対応する一対の第二綴じ杆の先端部に前記内向きの鈎状部と係り合う外向きの鈎状部を設け、前記各外向きの鈎状部と前記各内向きの鈎状部とによって構成される一対の係合部を互いに対向させているものを挙げることができる。このようにすれば、スライドするために動作が大きくなる第二支持板に、外向きの鈎状部をもうけることにより、第二綴じ杆に対し操作力を加えた手によって、綴じ具が開放状態となる際の急激な移動を好適に緩衝させることができるので好ましい。また、前記第一支持板及び前記第二支持板に前記綴じ杆をそれぞれ３つ以上支持させて、前記鈎状部を有さない綴じ杆の先端部に当接部を形成し、係合部を有する一対の綴じ杆の動作に干渉することが無いよう開閉方向に対向する一対の綴じ杆の閉止状態において当接部同士を当接させるように綴じ具を構成することも可能である。その際、開閉方向に対をなす綴じ杆における当接部同士に若干の位置ずれが生じた場合であっても確実に閉止状態を形成するためには、当接部を、前記対向する一対の綴じ杆の開閉方向に傾斜するテーパ形状をなすものとすることが望ましい。なお、ここに記すテーパ形状とは、テーパ面を平面として綴じ杆におけるテーパの基端から綴じ杆の最先端にかけて直線的に細くなるような形状のみならず、綴じ杆におけるテーパの基端から綴じ杆の最先端にかけて徐々に細くなるような形状であればよい。
【００１４】
そして、紙葉類を好適に綴じて使用、保存するための本発明に係るファイルは、表紙体と、この表紙体に取り付けられる上述した綴じ具とを具備してなり、前記綴じ具におけるベースを前記表紙体の一部に取り付けたものであり、掛かるファイルであれば、上述の綴じ具により奏される作用効果を好適に得ることができるものとなる。
【発明の効果】
【００１５】
以上に説明した本発明に係る綴じ具は、第一支持板をベースに対して回動させる回動支持部と、第二支持板をベースに対してスライド移動させるスライド部と、第一支持板と第二支持板とを相対的に回動させる回動連結部とを形成している。そうすることにより、第二支持板をスライド移動させるとともに第一支持板と第二支持板とを同時に回動させて、他の部材や格別な機構を用いずに一対の綴じ杆の動作を同期させる構成とすることが可能となる。また、一対の綴じ杆の先端部同士の相対距離、すなわち開口巾を大きくするためには、スライド始端からスライド終端までの距離を大きく設定して支持板の回動範囲を大きくする事で達成されるので、容易に開口巾を大きく設定することが容易である。勿論、他の部材や格別な機構を用いていないので、開放状態において開口巾を大きくしても、閉止状態において綴じ具を構成するいずれかの部材が紙葉類に干渉してしまう不具合は生じにくい。そしてまた、第二支持板がスライドしながら回動することにより第二支持板は前記ベースの一側端に近接しながら回動する。そのため、第二支持板に支持されている綴じ杆は、第二支持板に支持される箇所が一方の綴じ杆に近づきながら、一対の綴じ杆の先端部同士が離反するよう回動して開放状態を形成するので、ベースの両側端付近を支点に綴じ杆が回動する従来の綴じ具に比して、開放状態における一対の綴じ杆の開口巾をしく設定した場合においても一対の綴じ杆の角度がより大きく変化することにより、開放状態において綴じ杆の先端同士がなす開成角度を大きくすることができる。結果として、紙葉類に設けた綴じ穴をいずれか片方の綴じ杆の先端に向けて挿し通す際に、もう片方の綴じ杆の先端に干渉されることを有効に回避することができる。結果として、構造簡素でありながら紙葉類を綴じやすい開放状態を形成する綴じ具とすることができる。また、以上のような綴じ具を備えたファイルであれば上述の効果の結果として、紙葉類の抜き差しが容易な使い勝手の優れたものとすることができる。
【発明を実施するための最良の形態】
【００１６】
以下、本発明の一実施の形態について図面を参照して説明する。
【００１７】
図１に示すように、この実施形態に係るファイルＦは、綴じ穴を設けた紙葉類をその内側に綴じ込むことにより、紙葉類を整理・保管するために使用されるものであって、背表紙Ｈ１、表表紙Ｈ２及び裏表紙Ｈ３を備えた表紙体Ｈと、背表紙Ｈ１の内面に装着された綴じ具Ｔとから構成している。
【００１８】
この綴じ具Ｔは、拡大斜視図である図２、平面図である図３、及び図３におけるａ−ａ断面図である図４に示すように、表紙体Ｈに取り付けられるベース１と、ベース１の長手方向に所定間隔を隔てた３箇所において設けられた側面視円環状をなすそれぞれ一対の綴じ杆からなる綴じ部材４１、４２、４３と、これら綴じ部材４１、４２、４３をそれぞれ支持する第一支持板２及び第二支持板３とを具備してなり、これら第一支持板２及び第二支持板３の内側端部２ａ、３ａ同士をベース１上に対向させて配置している三穴対応のリング綴じ具である。
【００１９】
また、綴じ部材４１、４２、４３については、それぞれ第一支持板２が支持している側の綴じ杆をそれぞれ第一綴じ杆４１ａ、４２ａ、４３ａとし、第二支持板３が支持している側の綴じ杆を第二綴じ杆４１ｂ、４２ｂ、４３ｂとしている。そして、本実施形態では一例としてこれらベース１、第一支持板２及び第二支持板３をいずれも金属製の板材を塑性変形加工することにより作成されたものとしている。
【００２０】
以下本実施形態に係る綴じ具Ｔの各部の構成について説明する。
【００２１】
ベース１は、短冊状の平板を主体とする板材であり、表紙体Ｈに取り付けた状態において裏表紙Ｈ３に近接する側端部を一側端部１ａとし、表表紙Ｈ２に近接する側端部を他側端部１ｂとしている。そして、一側端部１ａと他側端部１ｂとの略中間位置で、且つベース１の長手方向の端部付近には、それぞれネジ孔１３を設け、当該２箇所のネジ孔１３にネジｂを用いて背表紙Ｈ１に取り付けるようにしている。
【００２２】
第一支持板２は、ベース１の上側において、一側端部１ａ側に取り付けている、例えばベース１の約３分の１の巾寸法を有する板材であり、当該一側端部１ａに近接する側を外側端部２ｂとし、ベース１の中央よりやや一側端部１ａよりに位置するもう一方の端部を内側端部２ａとしている。
【００２３】
第二支持板３は、ベース１の上側において他側端部１ｂ側にとりつけている、例えばベース１の約３分の２の巾寸法を有する板材であり、当該他側端部１ｂに近接する側を外側端部３ｂとし、ベース１の中央よりやや一側端部１ａよりの位置において内側端部３ａを、第一支持板２の内側端部２ａと対面させている。
【００２４】
そして、本実施形態に係る綴じ具Ｔは、ベース１の一側端部１ａにおいて、第一支持板２の外側端部２ｂ側との間に関連づけて第一支持板２をベース１に対して回動させる回動支持部Ａを形成している。詳細には、ベース１の一側端部１ａにおける４箇所よりベース１を構成する板材を上方へ立ち上げて概略円筒状に塑性変形させた支持片１１を設けるとともに、第一支持板２の外側端部２ｂ側に支持片１１を挿通可能な第一開口２１を設けて、綴じ具Ｔの組立の際に支持片１１を第一開口２１に挿し通すことによって、第一支持板２がベース１の外側端部２ｂを支点として回動可能な回動支持部Ａを形成している。
【００２５】
そして、ベース１の他側端部１ｂにおいて、ベース１と第二支持板３とを関連づけて、第二支持板３をベース１に対してスライド移動させるスライド部Ｂを形成している。詳細にはスライド部Ｂは、ベース１の他側端部１ｂにおいて支持片１１に対向する４箇所に、ベース１を構成する板材を上方及び他側端部１ｂ側に向かって倒立Ｌ字状に折り返したスライドガイド部１２を形成するとともに、第二支持板３の外側端部３ｂ付近の支持片１１に対応する４箇所において、第二開口３１を設け、この第二開口３１にスライドガイド部１２の先端を挿入することにより、第二支持板３の外側端部３ｂ方向及び上方への抜脱を防止しつつ、第二支持板３の外側端部３ｂがベース１の表面に沿ってスライド移動するように案内している。
【００２６】
また、綴じ具Ｔには、第一支持板２と第二支持板３の内側端部２ａ、３ａを関連づけて第一支持板２と第二支持板３とを相対的に回動させる回動連結部Ｃを形成している。詳細には、部分拡大図である図５に示すように、第一支持板２の内側端部２ａの２箇所において第一支持板２を構成する板材を部分的に突出させ、Ｌ字状に屈曲する形状を有する軸片２２を設けるとともに、第二支持板３の内側端部３ａにおいて前記軸片２２の先端部分を収納可能な軸受部３２を設け、該軸受部３２が軸片２２を収納して、軸片２２を軸受部３２内で回転させることにより、第一支持板２及び第二支持板３が相対的に回動するように構成している。
【００２７】
また、閉止状態Ｘにおける回動連結部Ｃ付近に位置する２箇所において、ベース１にはネジ穴１３がそれぞれ位置している。また、第二支持板３の内側端部３ａにおける当該ネジ穴１３に対応する位置において括れ部３３を設けることにより、閉止状態Ｘにおいて第一支持板２と第二支持板３との間にネジｂが露出するようにしている。
【００２８】
また、本実施形態において、綴じ部材４１、４２、４３を閉止状態Ｘから開放状態Ｙとする方向の力を第一支持板２と第二支持板３とに付与する開放付勢手段たるコイルばね５を具備しており、当該コイルばね５を第一支持板２と第二支持板３との間に介在させている。詳細に説明すると図５に示すように、バネ部材たるコイルばね５は、両方の端部５ａ、５ａが第一支持板２に設けられた第一固定穴２３、２３に固定され、中央部５ｂを第二支持板３に設けられた第二固定穴３４に固定されるとともに、両端部５ａ、５ａと中央部５ｂとの間の中間部分には線材がコイル状に巻かれた弾性変形部５ｃを有するものである。
【００２９】
次に、綴じ部材４１、４２、４３について詳細に説明する。すなわち、図６に示すように、第一支持板２には、第一綴じ杆４１ａ、４２ａ、４３ａを綴じ具Ｔの開閉方向に対して直交する方向、すなわち第一支持板２の長手方向に略等間隔で離間させて３箇所において支持させており、その一方、第二支持板３に、第一綴じ杆４１ａ、４２ａ、４３ａに対応づけて第二綴じ杆４１ｂ、４２ｂ、４３ｂを支持させている。また、綴じ部材４１、４２には、第一綴じ杆４１ａ、４２ａ及び第二綴じ杆４１ｂ、４２ｂを閉止状態Ｘにおいて係合させる係合部４１０、４２０を設けている。これらの係合部４１０、４２０は、第一綴じ杆４１ａ、４２ａ及び第二綴じ杆４１ｂ、４２ｂの先端部において、相互に向き合う鈎状部４１０ａ、４２０ａ、４１０ｂ、４２０ｂを形成することによって構成されている。詳述すると、係合部４１０、４２０として第一綴じ杆４１ａ、４２ａの先端部に、それぞれ第一支持板２の長手方向に対向して鈎形をなす内向きの鈎状部４１０ａ、４２０ａを形成するとともに、第二綴じ杆４１ｂ、４２ｂに前記内向きの鈎状部４１０ａ、４２０ａに対応して鈎形をなす外向きの鈎状部４１０ｂ、４２０ｂを形成し、外向きの鈎状部４１０ｂ、４２０ｂと内向きの鈎状部４１０ａ、４２０ａとによって構成される２つの係合部４１０、４２０が互いベース１の長手方向に対向するようにしている。
【００３０】
また、綴じ部材４３において、第一綴じ杆４３ａ及び第二綴じ杆４３ｂの先端部同士には、綴じ部材４３の開閉方向に対して傾斜するテーパ形状のテーパ面４３０ａ、４３０ｂからなる当接部４３０を設け、閉止状態Ｘにおいてテーパ面４３０ａ、４３０ｂ同士が当接している。なお、本実施形態において、テーパ面４３０ａ、４３０ｂを略Ｓ字状の曲面として、当接部４３０が当接した状態における当接面積をより多く確保するようにしている。
【００３１】
そして、綴じ具Ｔが閉止状態Ｘとなっているときには、図４のように、第二支持板３の外側端部３ｂがスライド始端Ｂ１の位置にある。このとき、第一支持板２及び第二支持板３の裏面２ｃ、３ｃは、ベース１の表紙体Ｈに対向しない側である表面に対して対面する倒伏姿勢Ｘ１をとって、綴じ部材４１、４２、４３及び第一支持板２、第二支持板３によって、綴じ穴が設けられた紙葉類を確実に綴じる概略円環状構造を形成している。
【００３２】
そして、ベース１の中央付近にはネジｂを位置させることにより、当該ネジｂを、開放状態Ｙにおいて第二支持板３のベース１に対するスライド移動を規制するストッパ部ＳＴとして機能させている。そしてこのストッパ部ＳＴと上述したスライドガイド部１２とによって第二支持板３のベース１からの脱落を防止する作用を果たしている。
【００３３】
次に、本実施形態に係る綴じ具Ｔが上述した閉止状態Ｘと開放状態Ｙとを相互に移行する際の動作態様について図４、図６及び図７を用いて説明する。
【００３４】
綴じ具Ｔを閉止状態Ｘから開放状態Ｙとする場合には、外向きの鈎状部４１０ｂ、４２０ｂを形成している第二綴じ杆４１ｂ、４２ｂの各先端部近傍に、例えば図示しないが親指と人差し指を外側から跨ぐように掛け、両指を相互に接近させる方向に軽く操作力を付与して係合部４１０、４２０を解除する。そうすることにより、コイルばね５によって蓄積されている弾性力により、第一支持板２及び第二支持板３が同時に回動を開始する。そして、第二支持板３の外側端部３ｂがスライド始端Ｂ１からスライド終端Ｂ２に向かう際に、回動支持部Ａにおいて第一支持板２がベース１に対して回動動作するとともに第二支持板３が第一支持板２に対して回動動作をおこなって、第二支持板３がネジｂと当接することにより綴じ部材４１、４２、４３が開放状態Ｙとなり、第一支持板２と第二支持板３の裏面２ｃ、３ｃ同士が対面する起立姿勢Ｙ１をとる。ここで、第一支持板２及び第二支持板３の裏面２ｃ、３ｃ同士が対面するとは、裏面２ｃ、３ｃ同士が略平行に向き合う状態のみならず、裏面２ｃ、３ｃ同士が一平面状に並んでおらず僅かでも向き合った状態をも含むものである。
【００３５】
一方、綴じ具Ｔを開放状態Ｙから閉止状態Ｘにするためには、係合部４１０、４２０を有する第一綴じ杆４１ａ、４２ａ及び第二綴じ杆４１ｂ、４２ｂを手指で摘むなどの外力により相互に接近させる方向に回動させる。そして、第一綴じ杆４１ａ、４２ａに形成された内向きの鈎状部４１０ａ、４２０ａ及び第二綴じ杆４１ｂ、４２ｂに形成された外向きの鈎状部４１０ｂ、４２０ｂを係り合わせることにより閉止状態Ｘとする。このとき、当接部４３０を有している第一綴じ杆４３ａ及び第二綴じ杆４３ｂの先端部に形成したテーパ面４３０ａ、４３０ｂが当接した状態となる。
【００３６】
以上のように、本実施形態に係るファイルＦの綴じ具Ｔは、第一支持板２をベース１に対して回動させる回動支持部Ａと、第二支持板３をベース１に対してスライド移動させるスライド部Ｂと、第一支持板２と第二支持板３とを相対的に回動させる回動連結部Ｃとを形成することにより、開放状態Ｙと閉止状態Ｘとの間で回動支持部Ａにおいて第一支持板２がベース１に対して回動動作するとともに第二支持板３が第一支持板２に対して回動動作する構成としたものである。
【００３７】
このようなものとすることにより、他の部材や格別な機構を用いずに、それぞれ対をなす第一綴じ杆４１ａ、第二綴じ杆４１ｂ、第一綴じ杆４２ａ、第二綴じ杆４２ｂ、第一綴じ杆４３ａ、第二綴じ杆４３ｂの動作を同期させて開閉させる構成とすることを実現している。特に、スライド始端Ｂ１からスライド終端Ｂ２までの距離を、すなわちスライド部Ｂを構成するベース１の他側端部１ｂから、ネジｂとともにストッパ部ＳＴを構成するネジ孔１３までの距離を大きく設定することにより、第一支持板２及び第二支持板３を大きく回動させて第一綴じ杆４１ａ、第二綴じ杆４１ｂ、第一綴じ杆４２ａ、第二綴じ杆４２ｂ、第一綴じ杆４３ａ、第二綴じ杆４３ｂの先端部同士の相対距離、すなわち開口巾が大きくなるようにしている。また、第二支持板３の外側端部３ｂがベース１の一側端部１ａに向かってスライドしながら第二支持板３が回動することにより、第二支持板３はベース１の一側端部１ａに近接しながら回動することとなる。そのため第二綴じ杆４１ｂ、４２ｂ、４３ｂは、第二支持板３に支持される箇所が第一綴じ杆４１ａ、４２ａ、４３ａに近接しながら第一綴じ杆４１ａ、第二綴じ杆４１ｂ、第一綴じ杆４２ａ、第二綴じ杆４２ｂ、第一綴じ杆４３ａ、第二綴じ杆４３ｂの先端部同士が離反するよう回動して開放状態Ｙを形成するので、開放状態Ｙにおける第一綴じ杆４１ａ、第二綴じ杆４１ｂ、第一綴じ杆４２ａ、第二綴じ杆４２ｂ、第一綴じ杆４３ａ、第二綴じ杆４３ｂの開口巾が大きいことに加えて、第一綴じ杆４１ａ、第二綴じ杆４１ｂ、第一綴じ杆４２ａ、第二綴じ杆４２ｂ、第一綴じ杆４３ａ、第二綴じ杆４３ｂの角度を大きく変化させて開放状態Ｙを形成することにより、第一綴じ杆４１ａ、第二綴じ杆４１ｂ、第一綴じ杆４２ａ、第二綴じ杆４２ｂ、第一綴じ杆４３ａ、第二綴じ杆４３ｂの先端部同士がなす開成角度がより大きいものとしている。その結果として、紙葉類に設けた綴じ穴を例えば第一綴じ杆４１ａ、４２ａ、４３ａの先端に向けて挿し通す際に、紙葉類が、第二綴じ杆４１ｂ、４２ｂ、４３ｂの先端に干渉されるといった不具合を有効に回避している。
【００３８】
そして本実施形態に係るファイルＦの綴じ具Ｔは、閉止状態Ｘにおいて、第一支持板２及び第二支持板３の裏面２ｃ、３ｃが、ベース１の表紙体Ｈに対向しない側である表面に対して対面する倒伏姿勢Ｘ１をとるとともに開放状態Ｙにおいて、第一支持板２と第二支持板３の裏面２ｃ、３ｃ同士が対面する起立姿勢Ｙ１となるようにベース１、第一支持板２及び第二支持板３を配置しているので、閉止状態Ｘにおいて一対の綴じ具Ｔとともに好適な環状構造を形成して、この環状構造を利用して好適に紙葉類を綴じるものとしている。
【００３９】
本実施形態に係るファイルＦの綴じ具Ｔは、第二支持板３の外側端部３ｂ方向及び上方への抜脱を防止しつつベース１の表面に沿ったスライドを案内するスライドガイド部１２を設けることにより、比較的容易な構造により第二支持板３の他端側部３ｂの移動可能な範囲を設定している。さらに背表紙Ｈ１にベース１を固定するためのネジｂをストッパ部ＳＴとしても機能させて、ベース１の内方たる一側端部１ａへの第二支持板３のスライド移動におけるスライド終端Ｂ２の位置を設定して開放状態Ｙにおける第一綴じ杆４１ａ、第二綴じ杆４１ｂ、第一綴じ杆４２ａ、第二綴じ杆４２ｂ、第一綴じ杆４３ａ、第二綴じ杆４３ｂのなす形状を設定している。そして、スライドガイド部１２とストッパ部ＳＴにより第二支持板３を干渉させることによって、該第二支持板３のベース１からの脱落を防止するようにしながら、スライド始端Ｂ１及びスライド終端Ｂ２の位置を設定して第二支持板３の動作範囲を決定している。詳細には、ストッパ部ＳＴとして、ベース１を表紙体Ｈに固定するための固定部材たるネジｂを利用しているので、ストッパ部ＳＴを設けるために別の部材を設けることを回避して、綴じ具Ｔを構成する部品点数を削減させている。
【００４０】
さらに本実施形態に係るファイルＦの綴じ具Ｔは、開放付勢手段たるコイルばね５を具備することにより閉止状態Ｘから開放状態Ｙとする方向の力を第一支持板２と第二支持板３とに付勢しているので、閉止状態Ｘにある第一綴じ杆４１ａ、第二綴じ杆４１ｂ、第一綴じ杆４２ａ、第二綴じ杆４２ｂの係り合いを解除すれば開放状態Ｙとすることができ、逆に開放状態Ｙにある第一綴じ杆４１ａ、第二綴じ杆４１ｂ、第一綴じ杆４２ａ、第二綴じ杆４２ｂを閉止状態Ｘとする際には、第一綴じ杆４１ａ、第二綴じ杆４１ｂ、第一綴じ杆４２ａ、第二綴じ杆４２ｂが係合するまで綴じるという意図を持って継続的に動作力を加えることとなる。その結果、第一綴じ杆４１ａ、第二綴じ杆４１ｂ、第一綴じ杆４２ａ、第二綴じ杆４２ｂ、第一綴じ杆４３ａ、第二綴じ杆４３ｂの意図せざる開閉動作が生じることがない。また、コイルばね５を、第一支持板２と第二支持板３との間に介在させて取り付けるようにして、当該取付箇所を設定する上での設計自由度が高いものとしている。詳細には、コイルばね５を両方の端部５ａ、５ａが第一支持板２に固定され、中央部５ｂが第二支持板３に固定されるとともに、両方の端部５ａ、５ａと中央部５ｂ、５ｂとの間の中間部分に弾性変形部５ｃ、５ｃを有するバネ部材を採用して閉止状態Ｘから開放状態Ｙとする方向の力を確実に付与するようにしている。
【００４１】
そして、本実施形態に係る綴じ具Ｔは、第一綴じ杆４１ａ、第二綴じ杆４１ｂ、第一綴じ杆４２ａ、第二綴じ杆４２ｂを係り合わせて閉止状態Ｘを維持する係合部４１０、４２０を具備することにより、開放付勢手段たるコイルばね５が付与する力によって閉止状態Ｘから開放状態Ｙとする方向の作用力を蓄積しながら好適に閉止状態Ｘを保持するとともに、係合部４１０、４２０の係合を解除するのみで前記作用力によって開放状態Ｙへ容易に移行させるものとしている。詳細には、相互に向き合う鈎状部４１０ａ、４１０ｂ、４２０ａ、４２０ｂを設けて、閉止状態Ｘを簡単に、且つ、確実に形成することにより係合部４１０、４２０を構成するものとしている。また、第一綴じ杆４１ａ、４２ａに内向きの鈎状部４１０ａ、４２０ａを設けるとともに、第二綴じ杆４１ｂ、４２ｂに外向きの鈎状部４１０ｂ、４２０ｂを設け、２つの係合部４１０、４２０が互いに対向するようにして、第二綴じ杆４１ｂ、４２ｂを片手で摘むなどして相寄る方向へ移動させるのみで簡単に鈎状部４１０ａ、４１０ｂ、４２０ａ、４２０ｂの係合を解除できるものとしているのみならず、第二支持板３が支持している第二綴じ杆４１ｂ、４２ｂに外向きの鈎状部４１０ｂ、４２０ｂを設けているので、手指によって操作力を加えて閉止状態Ｘから開放状態Ｙへと移行させる際、そのまま操作力を加えた手指によって、コイルばね５の付勢力による、綴じ具Ｔが開放状態Ｙとなる際の移動を好適に緩衝させることができる。さらに、第一綴じ杆４３ａ及び第二綴じ杆４３ｂの先端部同士に当接部４３０を設け、閉止状態Ｘにおいて当接部４３０同士を当接させることにより、当接部４３０を有する一対の綴じ杆を閉止状態Ｘにある状態において好適に紙葉類を綴じることができるとともに、係合部４１０、４２０を有する第一綴じ杆４１ａ、第二綴じ杆４１ｂ、第一綴じ杆４２ａ、第二綴じ杆４２ｂの動作に干渉することなく当接面同士が別離して開放状態Ｙとなるものとすることができる。詳細には当接部４３０を、第一綴じ杆４３ａ及び第二綴じ杆４３ｂの開閉方向に対して傾斜したテーパ形状を有するテーパ面４３０ａ、４３０ｂとして、当接部４３０の当接箇所が若干ずれた場合であっても一定の面積をもって当接させて、第一綴じ杆４３ａ及び第二綴じ杆４３ｂを確実に閉止状態Ｘとできるものとしている。
【００４２】
以上、本発明の一実施形態について説明したが、本発明に係る綴じ具及びファイルを以下のように構成することも可能である。
【００４３】
例えば、図８に示すように、本発明の他の実施形態に係るファイルＦ１を構成する綴じ具Ｔ１は、ベース１０の形状をねじｂの位置で窪ませてネジｂの上面とベース１０とが面一となる構成としているとともに、回動連結部Ｃ２付近において、第一支持板２及び第二支持板３の所定箇所に凹陥を設けるとともに、当該凹陥の位置において裏面２ｃと裏面３ｃとを当接させることにより、第一支持板２及び第二支持板３を干渉させてストッパ部ＳＴ１を形成しているものである。このものは、開放状態Ｙにおける第一支持板２と第二支持板３とがなす角度を制限することにより開放状態Ｙを維持するとともに第二支持板３の外側端部３ｂのスライド移動を制限するものである。またこの状態において、外側端部３ｂはスライド移動を制限されたスライド終端Ｂ２においてスライドガイド部１２により上部への移動が制限され第二支持板が脱落しない構成となっている。
【００４４】
このようなものであれば、ネジｂの位置や仕様に制限されることなく開口巾の大きな開放状態Ｙを形成することが可能となる。
【００４５】
その他、各部の具体的な構成は、上述した実施形態のみに限定されるものではない。例えば、上述した実施形態のほか、第一支持板及び第二支持板のどちらか一方或いは両方に別体の部材を設け、該部材を干渉させる構成を有するものであっても良い。さらに、綴じ具が有する綴じ杆の数について限定されるものではなく、紙葉類に設けられた綴じ穴の数に応じて本発明を適用することが可能である。また、綴じ杆の形状においても限定されるものではなく、例えば、Ｄリングや他の形状の綴じ杆を適用したものであってもよい。
【００４６】
その他、各部の具体的構成についても上記実施形態に限られるものではなく、本発明の趣旨を逸脱しない範囲で種々変形が可能である。
【図面の簡単な説明】
【００４７】
【図１】本発明の一実施形態に係るファイルを示す斜視図。
【図２】同実施形態に係る綴じ具を示す斜視図。
【図３】同実施形態に係る綴じ具を示す平面図。
【図４】図３に係るａ−ａ断面図。
【図５】同実施形態に係る拡大斜視図。
【図６】同実施形態に係る模式的な平面図。
【図７】図４に係る動作説明図。
【図８】本発明の他の実施形態に係る綴じ具を示す模式的な図。
【符号の説明】
【００４８】
１、１０…ベース
１ａ…一側端部
１ｂ…他側端部
１２…スライドガイド部
２  …第一支持板
２ａ…内側端部
２ｂ…外側端部
２ｃ…裏面
３  …第二支持板
３ａ…内側端部
３ｂ…外側端部
３ｃ…裏面
４１、４２、４３…一対の綴じ杆（綴じ部材）
４１０、４２０…係合部
４１０ａ、４１０ｂ、４２０ａ、４２０ｂ…鈎状部
４３０…当接部
４３０ａ、４３０ｂ…テーパ（テーパ面）
４１ａ、４２ａ、４３ａ…一方の綴じ杆（第一綴じ杆）
４１ｂ、４２ｂ、４３ｂ…他方の綴じ杆（第二綴じ杆）
５  …開放付勢手段、バネ部材（コイルばね）
５ａ…両端部
５ｂ…中央部
５ｃ…弾性変形部
Ａ  …回動支持部
Ｂ  …スライド部
Ｂ１…スライド始端
Ｂ２…スライド終端
Ｃ、Ｃ２…回動連結部
ＳＴ、ＳＴ１…ストッパ部
ｂ  …固定部材（ネジ）
Ｆ、Ｆ１…ファイル
Ｈ  …表紙体
Ｔ、Ｔ１…綴じ具
Ｘ  …閉止状態
Ｘ１…倒伏姿勢
Ｙ  …開放状態
Ｙ１…起立姿勢
【図１】
2005280023.tif 000003
【図２】
2005280023.tif 000004
【図３】
2005280023.tif 000005
【図４】
2005280023.tif 000006
【図５】
2005280023.tif 000007
【図６】
2005280023.tif 000008
【図７】
2005280023.tif 000009
【図８】
2005280023.tif 000010